(57)【要約】【課題】原稿読取装置の装置サイズおよびコストを増加させることなく、原稿読取装置から電力供給を受ける記録装置の装着によっても、原稿読取装置の電源ユニットの温度上昇を適切に抑止する。【解決手段】原稿読取装置１０５は、給送トレイ３０１から搬送された原稿を読取センサ３０５、３０６で読み取る。読み取られた原稿はフラッパ３１２により選択的に記録装置１０６に給送される。原稿読取装置１０５は電源ユニット３０７を備え、記録装置１０６へ電力を供給する。オプション装置である記録装置１０６は、原稿読取装置１０５から電力を受けて動作し、原稿読取装置１０５から給送されてきた原稿に、記録ヘッド３１１により記録を行って記録済の原稿を排出する。記録装置１０６には、原稿読取装置の電源ユニット３０７に対向して配置された冷却ファン３０８とを備える。【選択図】図３
2007089036.tif 000002
【特許請求の範囲】
【請求項１】
原稿を読み取る原稿読取装置と、この原稿読取装置に着脱自在な記録装置とを備えた電子機器システムであって、
前記原稿読取装置は、
原稿載置部から原稿を搬送する搬送手段と、
搬送された原稿を読み取る原稿読取手段と、
前記原稿載置部から搬送される原稿を選択的に前記記録装置に給送する搬送経路切替手段と、
前記原稿読取手段により読み取られた画像データを外部へ出力するインタフェース手段と、
電源ユニットとを備え、
前記記録装置は、前記原稿読取装置に装着された状態で前記原稿読取装置から電力を受けて動作し、
前記原稿読取装置から給送されてきた原稿に記録を行う記録手段と、
原稿を排出する排出手段と、
前記原稿読取装置の電源ユニットに対向して配置された冷却ファンとを備えた
ことを特徴とする電子機器システム。
【請求項２】
前記原稿読取装置と前記記録装置はそれぞれ通信手段を有し、両通信手段により通信を行うことを特徴とする請求項１に記載の電子機器システム。
【請求項３】
前記冷却ファンは、前記原稿読取装置からの通信コマンドの指示に基づいて、前記記録装置により駆動されることを特徴とする請求項２に記載の電子機器システム。
【請求項４】
前記冷却ファンは、前記原稿読取装置から駆動信号に基づいて前記記録装置により駆動されることを特徴とする請求項１または２に記載の電子機器システム。
【請求項５】
前記冷却ファンは、前記原稿読取装置の電源ユニットの温度に応じて駆動されることを特徴とする請求項１〜４に記載の電子機器システム。
【請求項６】
記録装置を着脱自在な原稿読取装置であって、
原稿載置部から原稿を搬送する搬送手段と、
搬送された原稿を読み取る原稿読取手段と、
前記原稿載置部から搬送される原稿を選択的に前記記録装置に給送する搬送経路切替手段と、
前記原稿読取手段により読み取られた画像データを外部へ出力するインタフェース手段と、
電源ユニットとを備え、
前記原稿読取装置が装着された状態で、前記電源ユニットから前記原稿読取装置に電力を供給するとともに、前記記録装置に備えられた冷却ファンにより前記電源ユニットが冷却されることを特徴とする原稿読取装置。
【請求項７】
通信手段を有し、この通信手段により前記記録装置と通信を行うことを特徴とする請求項６に記載の原稿読取装置。
【請求項８】
前記通信手段による前記記録装置への通信コマンドの指示により前記冷却ファンを駆動することを特徴とする請求項７に記載の原稿読取装置。
【請求項９】
前記冷却ファンを駆動する駆動信号を出力する手段を備えたことを特徴とする請求項６または７に記載の原稿読取装置。
【請求項１０】
原稿読取装置に着脱自在に装着され、前記原稿読取装置に装着された状態で前記原稿読取装置から電力供給を受ける記録装置において、
前記原稿読取装置から給送されてきた原稿に記録を行う記録手段と、
原稿を排出する排出手段と、
前記原稿読取装置の電源ユニットを冷却する冷却ファンと
を備えたことを特徴とする記録装置。
【請求項１１】
通信手段を有し、この通信手段により前記原稿読取装置と通信を行うことを特徴とする請求項１０に記載の記録装置。
【請求項１２】
前記原稿読取装置からの通信コマンドの指示に従って、前記冷却ファンを駆動することを特徴とする請求項１１に記載の記録装置。
【請求項１３】
前記原稿読取装置から駆動信号に従って、前記冷却ファンを駆動することを特徴とする請求項９または１０に記載の記録装置。
【発明の詳細な説明】
【技術分野】
【０００１】
本発明は、原稿を読み取る原稿読取装置と、この原稿読取装置に着脱自在に装着できる記録装置とを備えた電子機器システムに関する。
【背景技術】
【０００２】
従来、電子機器本体にオプション装置を着脱自在に装着可能である電子機器システムにおいて、装着したオプション装置に本体から電力を供給することにより、オプション装置の装着時には本体の電源の消費電力が増加する。そのため、電子機器本体に内蔵される電源冷却ファンとしては、装着可能なオプション装置のうちの消費電力が最大であるオプション装置が装着されたケースを想定したサイズのものを装備していた。
【０００３】
また、冷却ファンのサイズを変えない場合には、消費電力変動に対して冷却ファンモータの回転速度を可変する複雑な制御を行っていた（特許文献１参照）。
【０００４】
さらに電子機器に、オプションのボードを接続した際の温度上昇を抑える為に冷却ファンを電子機器本体に別途装着可能とする技術も提案されている（特許文献２参照）。
【特許文献１】特開平５−２０１１０２号公報
【特許文献２】特開２００２−３６６６２号公報
【発明の開示】
【発明が解決しようとする課題】
【０００５】
しかしながら、上記従来技術においては次のような問題があった。
【０００６】
即ち、電子機器本体からオプション装置に電力を供給する場合、電子機器の電源の発熱量はオプション装置の装着時には大きくなる為、電子機器の電源冷却ファンはオプション装置の装着の有無に係わらず、装着可能なオプション装置のうちの消費電力が最大であるオプション装置が装着されたケースを想定したサイズの冷却ファンを装備する必要があり、オプション装置を接続しない場合も不必要にコストアップしてしまうという問題があった。
【０００７】
また、オプション装置を装着する場合にのみ冷却ファンを別途装着するのはユーザにとって煩雑な作業を強いられることとなり、使い勝手が悪いという問題があった。
【０００８】
本発明は、上述した点に鑑みなされたものであり、原稿読取装置の装置サイズおよびコストを増加させることなく、原稿読取装置から電力供給を受ける記録装置の装着によっても、原稿読取装置の電源ユニットの温度上昇を適切に抑止することができる電子機器システム、原稿読取装置および記録装置を提供することにある。
【課題を解決するための手段】
【０００９】
本発明による電子機器システムは、原稿を読み取る原稿読取装置と、この原稿読取装置に着脱自在な記録装置とを備えた電子機器システムであって、前記原稿読取装置は、原稿載置部から原稿を搬送する搬送手段と、搬送された原稿を読み取る原稿読取手段と、前記原稿載置部から搬送される原稿を選択的に前記記録装置に給送する搬送経路切替手段と、電源ユニットとを備え、前記記録装置は、前記原稿読取装置に装着された状態で前記原稿読取装置から電力を受けて動作し、前記原稿読取装置から給送されてきた原稿に記録を行う記録手段と、原稿を排出する排出手段と、前記原稿読取装置の電源ユニットに対向して配置された冷却ファンとを備えたことを特徴とする。
【００１０】
この電子機器システムでは、原稿を読み取る原稿読取装置を単独で使用することができる。この場合には搬送経路切替手段は、原稿を記録装置側へ供給しない。また、オプション装置である記録装置を装着した場合には、搬送経路切替手段により原稿が記録装置側へ供給され、読み取られた原稿に記録が行われる。記録装置は相応の電力を消費し、この電力は原稿読取装置から供給される。これにより、記録装置装着時に原稿読取装置の消費電力が増加し、電源ユニットの温度上昇が見込まれるが、オプション装置である記録装置に内蔵された冷却ファンにより電源ユニットが冷却されるので、その温度上昇が抑止される。また、冷却ファンをオプション装置側に設けるので、原稿読取装置自体の装置コストやサイズが低減される。
【００１１】
前記冷却ファンは原稿読取動作および画像記録動作の開始および停止タイミングと同じタイミングで駆動してもよいが、原稿読取装置の電源ユニットの温度に応じて駆動するようにしてもよい。これにより、必要時にのみ冷却ファンの駆動を行うことができる。
【００１２】
本発明は、また、上記電子機器システムを構成する原稿読取装置および記録装置を提供する。
【発明の効果】
【００１３】
本発明によれば、オプション装置としての記録装置を装着可能な原稿読取装置において、記録装置を接続しない場合も接続した場合も、原稿読取装置の装置サイズおよびコストを増加させることなく、同一の原稿読取装置を使用することでき、かつ、原稿読取装置の電源の温度上昇を適正に抑止することができる。
【００１４】
また、オプション装置の種類が複数存在する場合には、個々の種類のオプション装置の消費電力に適した冷却ファンを当該オプション装置に内蔵しておくことで、原稿読取装置側への部品の追加や変更なしに、オプション装置の消費電力の違いに対応することができる。
【発明を実施するための最良の形態】
【００１５】
以下、図面を参照して本発明の電子機器システムに係わる実施の形態について詳細に説明する。
【００１６】
（第１の実施の形態）
本実施の形態では電子機器として原稿読取装置を例とし、かつ、オプション装置としてインクジェット記録装置（以下「記録装置」）を用いた電子機器システムについて説明する。
【００１７】
図１は、本発明の電子機器システムにホストコンピュータ１００を接続した構成図を示す。原稿読取装置（スキャナユニット）１０５とホストコンピュータ１００とはインタフェースケーブル１０４で接続されている。原稿読取装置１０５は、読み取った原稿の画像データをインタフェースケーブル１０４を介してホストコンピュータ１００に送信する。また、原稿読取装置１０５は、プリンタケーブル１０７を介して記録装置１０６と接続されており、原稿読取装置１０５は後述する制御コマンドの送受信を行うことで記録装置１０６を制御する。さらに、原稿読取装置１０５は、プリンタケーブル１０７で記録装置１０６への電力供給も行う。なお、原稿読取装置１０５と記録装置１０６とは両者の相対する面において機械的に着脱可能に構成されている。
【００１８】
図１の電子機器システムは、原稿の表裏を同時に読み取るとともにその一面に必要な情報の記録を行う用途に利用される。例えば、読取対象の帳票などに対して、その読取後の帳票に読取済のマークや通し番号等、任意の情報を記録するのに適している。
【００１９】
図２は本実施の形態で使用するホストコンピュータ１００のブロック図である。
【００２０】
ホストコンピュータ１００は、入力手段であるキーボード１０２やマウス１０３（図１）とは、それぞれ、キーボードインタフェース２０２とマウスインタフェース２０３を介して接続され、表示装置である表示部１０１とはビデオコントローラ２０１を介して接続されている。またホストコンピュータ１００は、ＭＰＵ２００が大容量記憶装置であるハードディスク装置（以下、ＨＤＤ）２０６に記憶してあるアプリケーションソフトやドライバをＲＡＭ２０５に読み出して実行することで、原稿読取装置１０５から受信する原稿の画像データをハードディスク２０６に格納する処理や、記録装置１０６により原稿表面に記録する為のＲＡＭ２０５に格納された記録情報を後述する制御コマンドに変換し、外部インタフェース２０４を介してインタフェースケーブル１０４に出力する処理を実行する。
【００２１】
図３は、本実施の形態における原稿読取装置１０５に記録装置１０６を装着した状態の電子機器システムの断面図である。すなわち、脱着可能なオプション装置である記録装置１０６が原稿読取装置１０５に装着されている。原稿読取装置１０５には、ピックアップモータ（不図示）の駆動により回転して給送トレイ（原稿載置部）３０１に積載された読取原稿３００を１枚ずつ分離して給送するピックアップローラ３０２と、給送トレイ３０１の原稿の有無を検知するセンサ３１３と、搬送モータ（不図示）の駆動を受けて回転することで読取原稿３００を搬送する搬送ローラ３０３と、給送トレイ３０１からの給送直後の原稿の位置を検出するセンサ３０４と、このセンサ３０４で検出した原稿の位置を基に原稿の表面を読取る読取センサ３０５と、原稿の裏面を読取る読取センサ３０６と、原稿の排出方向を決定するフラッパ３１２と、排紙した原稿を積載する排紙トレイ３１０と、電源ユニット３０７を装備している。フラッパ３１２は、搬送経路を切り替える為に、原稿読取装置の制御下で、または手動レバー（不図示）により、読取った原稿を記録装置１０６側にストレート排紙を行うか、記録装置１０６を経由せずに排紙トレイ３１０にＵターン排紙を行うかを切り替えることができる。本実施の形態の場合は、読取った原稿の表面に対して記録装置１０６において記録を行う為、ストレート排紙を選択する。また、電源ユニット３０７は、記録装置１０６にも電力を供給している。
【００２２】
記録装置１０６には、記録装置１０６に入った原稿の位置を検出するセンサ３０９と、このセンサ３０９で原稿を検出すると原稿の表面に記録を行う記録ヘッド３１１と、原稿読取装置１０５内の電源ユニット３０７を冷却する為の冷却ファン３０８と、フラッパ３１４とを有する。この例では、冷却ファン３０８は電源ユニット３０７の周囲の空気を吸引する方向に回転する。吸引された空気は記録装置１０６内の所定の排気口から外部へ排出される。フラッパ３１４は、搬送経路を切り替える為に、記録装置の制御下で、または手動レバー（不図示）により、記録済原稿を記録装置１０６から直接排紙するか、原稿読取装置の排紙トレイ３１０に排紙するかを切り替えることができる。これにより、比較的厚い原稿については記録装置１０６から直接直線的に外部へ排出することができる。
【００２３】
なお、記録装置１０６はギア（不図示）を経由して原稿読取装置１０５から搬送駆動力を供給される為、原稿読取装置１０５の搬送モータが駆動されれば、記録装置１０６の搬送系も連動して動作する。
【００２４】
図４は本実施の形態における原稿読取装置１０５の背面（記録装置装着面）から描写した模式図である。筐体の一面に、給紙口４０１、排紙口４０２、および電源ユニット３０７の排気口が露出している。原稿読取装置１０５で読取りが終了した原稿が排紙口４０２から排出され、記録装置１０６で記録が終了した原稿が給紙口４０１から給紙される。スタートキー４００は原稿読取装置による原稿読取動作を開始するキーであり使用者により操作される。
【００２５】
図５は記録装置１０６の前面（原稿読取装置装着面）から描写した模式図である。筐体の一面に、排紙口５００、給紙口５０１、および冷却ファン３０８の吸気口が露出している。冷却ファン３０８は、両装置が結合されたときに原稿読取装置１０５の電源ユニット３０７に対向する位置に設置されている。原稿読取装置１０５で読取りが終了した原稿が給紙口５０１から給紙され、記録装置１０６で記録が終了した原稿が排紙口５００から排出される。記録装置１０６に装備された冷却ファン３０８は、プリンタケーブル１０７を介して原稿読取装置１０５から送信する後述する制御コマンドにより駆動指令を受けると回転駆動し、原稿読取装置１０５に備えられた電源ユニット３０７を冷却し発熱を抑える機能を持つ。
【００２６】
図６は、本実施の形態で使用する制御コマンドの構造を示す図である。これらの制御コマンドは、ホストコンピュータ１００と原稿読取装置１０５の間を送受信される。これらの制御コマンドの一部は、原稿読取装置１０５と記録装置１０６間でも送受信される。
【００２７】
テキストデータコマンド６０１およびイメージデータコマンド６０２は、記録装置１０６で原稿に記録する記録情報であり、ホストコンピュータ１００から原稿読取装置１０５を経由して記録装置１０６に送信される。テキストデータコマンド６０１は、そのコマンドの識別コード、テキストデータの長さを示すデータ長、およびテキストデータからなる。イメージデータコマンド６０２は、そのコマンドの識別コード、イメージデータの長さを示すデータ長、およびイメージデータからなる。
【００２８】
記録開始コマンド６０３は記録開始タイミングを通知する制御コマンドであり、原稿読取装置１０５から記録装置１０６に送信する。
【００２９】
ファン駆動コマンド６０４は、冷却ファン３０８の駆動開始を指示する制御コマンドである。ファン停止コマンド６０５は冷却ファン３０８の駆動を停止するコマンドである。これらの制御コマンドは、識別コードのみからなり、原稿読取装置１０５から記録装置１０６に送信される。
【００３０】
センサステータスコマンド６０６は、識別コードおよびセンサ情報からなる、記録装置１０６のセンサ３０９のセンサ情報を通知するコマンドであり、記録装置１０６から原稿読取装置１０５に送信される。
【００３１】
原稿読取りデータコマンド６０７は、識別コード、データ長、および原稿読取により得られた画像データであり、原稿読取装置１０５からホストコンピュータ１００に送信される。
【００３２】
図７は、本実施の形態における電子機器システムの原稿読取装置１０５および記録装置１０６のそれぞれの内部の制御ハードウェア構成を表すブロック図である。
【００３３】
記録装置１０６のコントローラ７０９は、ＲＯＭ７１５に格納された制御プログラムをＲＡＭ７１１を使用し実行することで以下の制御を実現する。
【００３４】
コントローラ７０９は原稿読取装置通信部７１０を経由して原稿読取装置１０５からテキストデータコマンド６０１、イメージデータコマンド６０２、記録開始コマンド６０３、ファン駆動コマンド６０４、ファン停止コマンド６０５を受信し、さらに、位置検出センサ３０９からなる原稿位置検出部の検出結果を定期的に読取り、そのステータス情報をセンサステータスコマンド６０６として送信する。
【００３５】
記録装置１０６は、イメージデータコマンド６０２を受信すると印刷データとしてＲＡＭ７１１に直接ビットマップ展開し、テキストデータコマンド６０１を受信すると対応するテキストデータに対応するフォントデータをＲＯＭ７１５から読出し、印刷データとしてＲＡＭ７１１にビットマップ展開する。記録開始コマンド６０３を受信すると、記録ヘッド３１１からなる記録部７１３を駆動して原稿の表面にインクを吐出して記録を行う。ファン駆動コマンド６０４／ファン停止コマンド６０５を受信すると、ファンモータからなるファン駆動部７１４を制御して冷却ファン３０８をＯＮ／ＯＦＦする。
【００３６】
原稿読取装置１０５のコントローラ７００は、ＲＯＭ７０１に格納された制御プログラムをＲＡＭ７０４を使用し実行することで以下の制御を実現する。
【００３７】
コントローラ７００は、ホスト通信部７０６を経由してホストコンピュータ１００から受信したテキストデータコマンド６０１およびイメージデータコマンド６０２を記録装置通信部７０７を経由して記録装置１０６に送信し、さらに、記録装置通信部７０７を経由して記録装置１０６からセンサステータスコマンド６０６を受信する。
【００３８】
さらにコントローラ７００は給紙モータ（不図示）からなる原稿給紙部７０８を制御することで給送トレイ３０１上の原稿３００を分離および給送し、搬送モータ（不図示）からなる原稿搬送部７０２により原稿３００を搬送する。位置検出センサ３０４からなる原稿位置検出部７０３は、原稿搬送部７０２により搬送された原稿３００の位置を検出する。コントローラ７００は原稿搬送部７０２により検出した原稿位置に基づき、表裏の原稿読取センサ３０５、３０６からなる原稿読取部７０５により原稿３００に形成されている画像を読取り、ホスト通信部７０６を経由して読取った画像データをホストコンピュータ１００へ送信する。
【００３９】
また、記録装置１０６から受信したセンサステータスコマンド６０６によりに原稿を検知すると、ホストコンピュータ１００から受信したテキストデータコマンド６０１、イメージデータコマンド６０２および記録開始コマンド６０３を記録装置通信部７０７を経由して記録装置１０６に送信し、記録装置１０６での記録を実現する。
【００４０】
また、記録装置１０６の冷却ファン３０８を制御する為に、ファン駆動コマンド６０４／ファン停止コマンド６０５を送信する。
【００４１】
キー読取部７１６はスタートキー４００の状態を周期的に読取る。
【００４２】
図８は、本実施の形態における原稿読取装置１０５の原稿読取処理のフローを示すフローチャートであり、原稿読取装置１０５のコントローラ７００は、ＲＯＭ７０１に格納された制御プログラムをＲＡＭ７０４を使用し実行することで以下の制御を実現する。
【００４３】
原稿読取装置１０５のコントローラ７００は、電源が投入され初期化動作が完了すると、操作パネルのスタートキー４００が押下されるまで待つ（Ｓ８００，Ｎｏ）。スタートキー４００が押下される（Ｓ８００，Ｙｅｓ）とファン駆動コマンド６０４を送信することで記録装置１０６に備えられた冷却ファン３０８を回転させ（Ｓ８０２）、プリンタ制御処理を起動（Ｓ８０２）する。
【００４４】
そこで、給送トレイ３０１の原稿３００を１枚分離し、給送する（Ｓ８０３）。さらに搬送を開始し（Ｓ８０４）、原稿読取処理（Ｓ８０５）により、原稿が所定位置に移動するのを待って原稿の読取りを行う。読取ったデータを原稿読取りデータコマンド６０７に変換してホストコンピュータ１００に送信する。搬送中の原稿は排紙トレイ３１０まで排紙する（Ｓ８０６）。
【００４５】
続いて給送トレイ３０１に原稿３００が有る場合（Ｓ８０７，Ｎｏ）、給送トレイ３０１の原稿３００を１枚分離し給送（Ｓ８０３）する。また、給送トレイ３０１に原稿が無い場合（Ｓ８０７，Ｙｅｓ）は、原稿搬送部７０２の駆動を停止（Ｓ８０８）する。さらに、ファン停止コマンド（Ｓ８０９）を送信することで記録装置１０６の冷却ファン３０８を停止し、プリンタ制御処理を停止（Ｓ８１０）する。
【００４６】
図９は本実施の形態における原稿読取装置１０５のプリンタ制御処理のフローを示すフローチャートである。原稿読取装置１０５のコントローラ７００は、ＲＯＭ７０１に格納された制御プログラムをＲＡＭ７０４を使用し実行することで以下の制御を実現する。
【００４７】
原稿読取処理から本処理が起動されると、本処理は原稿読取処理とタイムシェアリングにより並列実行される。本処理は記録装置１０６から受信するセンサステータスコマンド６０６で位置検出センサのステータスを監視することで記録装置１０６の用紙位置を検出する。記録装置の検出センサ３０９で用紙の先端を検出すると（Ｓ９００，Ｙｅｓ）、ホストコンピュータ１００から受信したイメージデータコマンド６０２を送出（Ｓ９０１）し、テキストデータコマンド６０１を送出（Ｓ９０２）し、さらに記録開始コマンド６０３を送出し、記録装置１０６での記録を行わせる。
【００４８】
図１０は本実施の形態における記録装置１０６の制御コマンド受信処理のフローを示すフローチャートである。記録装置１０６のコントローラ７０９は、ＲＯＭ７１５に格納された制御プログラムをＲＡＭ７１１を使用し実行することで以下の制御を実現する。
【００４９】
電源が投入され初期化動作が完了すると、本処理が起動される。コントローラ７０９は、原稿読取装置１０５から制御コマンドを受信すると（Ｓ１０００，Ｙｅｓ）、コマンド解析を行い、コマンドに対応した処理を行う。
【００５０】
受信した制御コマンドがイメージデータコマンド６０２の場合（Ｓ１００１，Ｙｅｓ）は、イメージデータ展開処理（Ｓ１００６）にてイメージデータをＲＡＭ７１１にビットマップ展開する。
【００５１】
受信した制御コマンドがテキストデータコマンド６０１の場合（Ｓ１００２，Ｙｅｓ）は、テキストデータ展開処理（Ｓ１００７）にてＲＯＭ７１５より対応するフォントデータを読み出し、ＲＡＭ７１１にビットマップ展開する。
【００５２】
受信した制御コマンドが記録開始コマンド６０３の場合（Ｓ１００３，Ｙｅｓ）は、印刷処理（Ｓ１００８）にて記録ヘッド３１１を駆動して印刷を行う。
【００５３】
受信した制御コマンドがファン駆動コマンド６０４の場合（Ｓ１００４，Ｙｅｓ）は、ファン駆動を開始する。
【００５４】
受信した制御コマンドがファン停止コマンド６０５の場合（Ｓ１００５，Ｙｅｓ）は、ファン駆動を停止する。
【００５５】
このように、第１の実施の形態では、図８、図９および図１０のフローチャートに示したように、原稿読取装置１０５による原稿読取動作と記録装置１０６による画像記録処理が行われている間は、オプション装置である記録装置に備えられた冷却ファン３０８を回転駆動することで、画像装置に備えられた電源ユニットの発熱を抑えることが可能である。
【００５６】
また、冷却ファン３０８は電子機器本体である原稿読取装置１０５内には設けず、オプション装置である記録装置１０６内に設けるので、原稿読取装置１０５内の冷却ファン３０８の設置スペースが節約される。また、原稿読取装置単独であればそれほど電力を消費しないので、原稿読取装置側に冷却ファン３０８がなくても特に問題はない。オプション装置内に設ける冷却ファン３０８はそのオプション装置の消費電力に応じて最適なものを予め選定して搭載することができる。
【００５７】
（第２の実施の形態）
上述した第１の実施の形態においては、冷却ファンの回転および停止は、原稿読取動作および画像記録動作の開始および停止タイミングと同じタイミングで行った。つまり原稿読取動作が開始してから終了するまでの間、冷却ファンは回転し続けた。これに対して、本実施の形態では図１１にシステム構成を示すように、原稿読取装置１０５の電源ユニット３０７に温度センサ７２０を備え、この温度センサ７２０が読取る温度に応じて、記録装置１０６の冷却ファンの回転を制御する。他の構成は図７に示した第１の実施の形態と同じである。
【００５８】
図１２は第２の実施の形態における原稿読取装置のファン回転制御の動作フローを示すフローチャートである。原稿読取装置１０５のコントローラ７００は、ＲＯＭ７０１に格納された制御プログラムをＲＡＭ７０４を使用し実行することで以下の制御を実現する。
【００５９】
まず、原稿読取装置１０５の電源ユニットの温度センサを読取り（Ｓ１１００）、所定の温度（例えば３０℃）以上であれば（Ｓ１１０１，Ｙｅｓ）、記録装置１０６にファン停止コマンド６０５を送信する（Ｓ１１０２）。これにより、記録装置１０６の冷却ファンの回転を停止させる。所定の温度未満であれば（Ｓ１１０１，Ｎｏ）、ファン駆動コマンド６０４を送信することで記録装置１０６の冷却ファンを回転させる（Ｓ１１０３）。
【００６０】
このように、電源ユニットの温度センサが読取る温度に応じて記録装置の冷却ファンの回転を制御することで、不必要に冷却ファンが回転することがなくなり、無駄に電力を消費することが防ぐことが可能である。
（その他の実施の形態）
【００６１】
上述した第１、第２の実施の形態においては、原稿読取装置から記録装置に発行する冷却ファンの回転および停止の指令は、通信部による制御コマンドの送受信で行った。これに代えて、原稿読取装置からのＩＯポート出力信号を駆動信号として、原稿読取装置が直接冷却ファンの駆動をＯＮ／ＯＦＦ制御してもよい。
【００６２】
また、電子機器としては、複写機、ファクシミリ、各種電子計測器等、オプション装置が接続可能な機器であればその種類に限定されるものではない。
【００６３】
また、オプション装置としては、冷却ファンを搭載可能で、かつ、電子機器に装着可能なオプション装置であれば、その種類に限定されるものではない。
【図面の簡単な説明】
【００６４】
【図１】本発明の電子機器システムにホストコンピュータを接続した構成図である。
【図２】本発明の実施の形態で使用するホストコンピュータのブロック図である。
【図３】本発明の実施の形態における原稿読取装置に記録装置を装着した状態の電子機器システムの断面図である。
【図４】本発明の実施の形態における原稿読取装置の背面（記録装置装着面）から描写した模式図である。
【図５】本発明の実施の形態における記録装置の前面（原稿読取装置装着面）から描写した模式図である。
【図６】本発明の実施の形態で使用する制御コマンドの構造を示す図である。
【図７】本発明の実施の形態における電子機器システムの原稿読取装置および記録装置のそれぞれの内部の制御ハードウェア構成を表すブロック図である。
【図８】本発明の実施の形態における原稿読取装置の原稿読取処理のフローを示すフローチャートである。
【図９】本発明の実施の形態における原稿読取装置のプリンタ制御処理のフローを示すフローチャートである。
【図１０】本発明の実施の形態における記録装置の制御コマンド受信処理のフローを示すフローチャートである。
【図１１】本発明の第２の実施の形態における電子機器システムの原稿読取装置および記録装置のそれぞれの内部の制御ハードウェア構成を表すブロック図である。
【図１２】本発明の第２の実施の形態における原稿読取装置のファン回転制御の動作フローを示すフローチャートである。
【符号の説明】
【００６５】
１００…ホストコンピュータ
１０１…表示部
１０２…キーボード
１０３…マウス
１０４…インタフェースケーブル
１０５…原稿読取装置
１０６…記録装置
１０７…プリンタケーブル
２０１…ビデオコントローラ
２０２…キーボードインタフェース
２０３…マウスインタフェース
２０４…外部インタフェース
２０６…ハードディスク
３００…読取原稿
３０１…給送トレイ（原稿載置部）
３０２…ピックアップローラ
３０３…搬送ローラ
３０４…位置検出センサ
３０５…原稿読取センサ
３０６…原稿読取センサ
３０７…電源ユニット
３０８…冷却ファン
３０９…位置検出センサ
３１０…排紙トレイ
３１１…記録ヘッド
３１２，３１４…フラッパ
３１３…センサ
４００…スタートキー
４０１…給紙口
４０２…排紙口
５００…排紙口
５０１…給紙口
６０１…テキストデータコマンド
６０２…イメージデータコマンド
６０３…記録開始コマンド
６０４…ファン駆動コマンド
６０５…ファン停止コマンド
６０６…センサステータスコマンド
６０７…データコマンド
７００…コントローラ
７０２…原稿搬送部
７０３…原稿位置検出部
７０５…原稿読取部
７０６…ホスト通信部
７０７…記録装置通信部
７０８…原稿給紙部
７０９…コントローラ
７１０…原稿読取装置通信部
７１３…記録部
７１４…ファン駆動部
７１６…キー読取部
７２０…温度センサ
【図１】
2007089036.tif 000003
【図２】
2007089036.tif 000004
【図３】
2007089036.tif 000005
【図４】
2007089036.tif 000006
【図５】
2007089036.tif 000007
【図６】
2007089036.tif 000008
【図７】
2007089036.tif 000009
【図８】
2007089036.tif 000010
【図９】
2007089036.tif 000011
【図１０】
2007089036.tif 000012
【図１１】
2007089036.tif 000013
【図１２】
2007089036.tif 000014